(57)【特許請求の範囲】
【請求項１】
横方向に伸縮性のある布地で形成されたガードル本体の裏面に、左右の腰部から内転筋に沿って前面の股下に至るように設けた第一の補強弾性帯と、骨盤及び股関節を覆い、背面で大殿筋を持ち上げるように設けた第二の補強弾性帯と、恥骨から大転子を覆い、臀部に延在する第三の補強弾性帯とを備え、前記第一、第二及び第三の補強弾性帯はそれぞれ長手方向に弾性を有し、かつ、前記第一、第二及び第三の補強弾性帯の弾性の方向は互いに異なっており、前記第一、第二及び第三の補強弾性帯は股関節の位置で交差し、
さらに前記ガードル本体の前面の中央部に略逆台形のフロントパネルを有し、当該フロントパネルは恥骨付近の位置で上下に区分された上部フロントパネルと下部フロントパネルとの二つのパーツが連結されてなり、前記下部フロントパネルは横方向に伸縮性の無い布地からなり、前記下部フロントパネルと前記第三の補強弾性帯とが少なくとも部分的に連結されている
ことを特徴とする、骨盤矯正用ガードル。
【請求項２】
さらに前記ガードル本体の背面の中央上端部に略台形の背面補強パネルを備える、請求項１に記載の骨盤矯正用ガードル。
【請求項３】
さらに前記背面補強パネルの左右それぞれに三角形のサポート部材を有し、当該三角形のサポート部材の三角形を構成する三辺のうち一辺は前記背面補強パネルの台形の脚であり、他の一辺は前記ガードル本体の上端辺である、請求項２に記載の骨盤矯正用ガードル。
【請求項４】
前記三角形のサポート部材は、三角形を構成する三辺のうち、前記背面補強パネルの台形の脚の辺及び前記ガードル本体の上端辺は、前記ガードル本体に結合されており、その他の一辺は前記ガードル本体から離間している、請求項３に記載の骨盤矯正用ガードル。
【請求項５】
さらにクロッチの後端縁の中央から背面の中心線に沿って、ガードル本体の上端、もしくはウエスト部の上端に至る伸縮性のテープ部材が取り付けられている、請求項１〜４のいずれか１項に記載の骨盤矯正用ガードル。
【請求項６】
前記ガードル本体の上端辺と連続するウエスト部を有し、当該ウエスト部は、前記ガードル本体と接続する部分が最も細く上方に向けて広がる形状である、請求項１〜５のいずれか１項に記載の骨盤矯正用ガードル。
【請求項７】
前記ウエスト部の幅が２ｃｍ〜８ｃｍである、請求項６に記載の骨盤矯正用ガードル。
【発明の詳細な説明】
【技術分野】
【０００１】
本発明は、骨盤の位置を矯正し、Ｏ脚を改善できる機能を有するガードルに関する。
【背景技術】
【０００２】
妊娠や出産の際には骨盤がゆるみ、開くことが知られている。またＯ脚の原因の一つは骨盤や股関節のゆがみであると考えられている。このような骨盤の開きやゆがみは、腰痛等の身体の不具合の原因となり、体型が悪く見える要因でもあるため、骨盤を元の位置に戻すことが望まれる。このため、骨盤を正しい位置に矯正するための骨盤矯正用ガードルが知られている。
【０００３】
特許文献１には、骨盤を矯正し、Ｏ脚を治療するための骨盤矯正用パンティガードルが開示されている。特許文献１の発明は、パンツ本体の裏面に、左右の腰部から内転筋に沿って前面の股下に至るように設けられた補強弾性帯Ｘと、背面で大殿筋を持ち上げるように設けた補強弾性帯Ｙとを備えており、前記補強弾性帯Ｘ及びＹが、股関節の位置で交差して二重に重なり合っており、特定の幅を有し長手方向に伸縮性を発揮すること、また、バックパネルの背中中心にゴム弾性のあるテープが取り付けられていることを特徴とする。
【０００４】
特許文献２には、骨盤補整の効果が十分に得られ、動作への追従性に優れて着崩れも防止可能である、着用感が快適なボトム衣類が開示されている。特許文献２のボトム衣類の補整部材は、サポート部とベルト部とを含み、着用時において臀溝部および大転子を含む領域を覆うように形成されており、サポート部は略Ｕ字状に臀部膨出部を囲むように構成され、ベルト部はサポート部の左右両側方に延在し、ボトム本体の前側で互いに係止可能である。ベルト部はボトム本体の表側に配置されている。
【先行技術文献】
【特許文献】
【０００５】
【特許文献１】特許４４９３０４７号公報
【特許文献２】特開２０１５−３０９２２号公報
【発明の概要】
【発明が解決しようとする課題】
【０００６】
上述のとおり、骨盤を矯正するための様々な構成が公知である。しかしながら、近年の美容志向の高まり等を背景として、さらに優れた骨盤矯正効果を有するガードルが期待されている。また従来の骨盤矯正用ガードルは、外付けのベルトを有するものや、ガードル自体にファスナーやホックが取り付けられており、それらを開閉して着用するものが多かったが、このような構成は着用が面倒で、また表面の凹凸が大きくなるためアウターにひびきやすい（アウターの上から下着のラインが視認されやすい）という課題があった。
【０００７】
上記の事情に鑑み、本発明は、骨盤矯正効果に優れた骨盤矯正用ガードルであって、着用が簡単でかつ着用時にはガードルのズレ等が生じにくく、また、表面の凹凸が少なくアウターにひびきにくいものを提供すること課題とする。
【課題を解決するための手段】
【０００８】
発明者は上記課題を解決するために検討を進め、外付けベルト等を使用せず、弾性方向が異なる部材を重ね合せることで強い引締め効果を発揮させることに着想した。発明者はさらなる検討を重ね、身体の左右側方から前面にかけて斜め上下方向に延在する第一の補強帯と、骨盤と股関節を覆いバックパネル上で臀部を持ち上げる第二の補強帯に加えて、恥骨から大転子を通り臀部に延在する第三の補強帯を設け、弾性方向の異なる第一、第二及び第三の補強帯が股関節の位置で重なり合うように構成することで優れた骨盤矯正効果が得られるとともに、個々の補強帯は薄い部材であるためにアウターにひびかず、かつ着用が簡単なガードルが得られることを見出して、本発明を完成した。
【０００９】
すなわち本発明は、横方向に伸縮性のある布地で形成されたガードル本体の裏面に、左右の腰部から内転筋に沿って前面の股下に至るように設けた第一の補強弾性帯と、骨盤及び股関節を覆い、背面で大殿筋を持ち上げるように設けた第二の補強弾性帯と、恥骨から大転子を覆い、臀部に延在する第三の補強弾性帯とを備え、前記第一、第二及び第三の補強弾性帯はそれぞれ長手方向に弾性を有し、かつ、前記第一、第二及び第三の補強弾性帯の弾性の方向は互いに異なっており、前記第一、第二及び第三の補強弾性帯は股関節の位置で交差することを特徴とする、骨盤矯正用ガードルに関する。
【００１０】
また前記のガードルはさらに、前記ガードル本体の前面の中央部に略逆台形のフロントパネルを有し、当該フロントパネルは恥骨付近の位置で上下に区分された上部フロントパネルと下部フロントパネルとの二つのパーツが連結されてなり、前記下部フロントパネルは横方向に伸縮性の無い布地からなり、前記下部フロントパネルと前記第三の補強弾性帯とは少なくとも部分的に連結されてなることが好ましい。
【００１１】
前記の骨盤矯正用ガードルは、さらに前記ガードル本体の背面の中央上端部に略台形の背面補強パネルを備えることが好ましい。
【００１２】
前記のガードルはさらに、前記背面補強パネルの左右それぞれに三角形のサポート部材を有し、当該三角形のサポート部材の三角形を構成する三辺のうち一辺は前記背面補強パネルの台形の脚であり、他の一辺は前記ガードル本体の上端辺であることが好ましい。
【００１３】
前記三角形のサポート部材は、三角形を構成する三辺のうち、前記背面補強パネルの台形の脚の辺及び前記ガードル本体の上端辺は、ガードル本体に結合されており、その他の一辺はガードル本体から離間していることが好ましい。またさらに、前記のガードルは、クロッチの後端縁の中央から背面の中心線に沿って、ガードル本体の上端、もしくはウエスト部の上端に至る伸縮性のテープ部材が取り付けられていることが好ましい。
【００１４】
さらに前記のガードルは、前記ガードル本体の上端辺と連続するウエスト部を有し、当該ウエスト部は、前記ガードル本体と接続する部分が最も細く上方に向けて広がる形状であることが好ましい。また前記ウエスト部の幅は２ｃｍ〜８ｃｍであることが好ましい。
【発明の効果】
【００１５】
本発明の骨盤矯正用ガードルによれば、弾性方向の異なる三つの補強弾性帯が股関節の位置で交差することによって、厚みの薄い弾性素材を用いた場合にも優れた矯正効果を得ることができる。このためアウターにひびきにくく、ズレやめくれが生じにくく着用感にも優れたガードルが得られる。また本発明の骨盤矯正用ガードルは、フックやファスナー等を使用することなく構成できるため、着用が簡単であり、また、フック等の部材の当たりで不快感を生じることがない。
【図面の簡単な説明】
【００１６】
【図１】本発明の実施例の骨盤矯正用ガードルの表面（衣服側）を示す。
【図２】図１の骨盤矯正用ガードルの裏面（肌側）を示す。
【図３】図１の骨盤矯正用ガードルの補強弾性帯の弾性方向を示す。
【発明を実施するための形態】
【００１７】
以下、図面を参照して本発明を実施するための形態をより詳しく説明するが、示された実施例は一例に過ぎず、本発明はここに示す実施例に限定されるものではない。なお、本明細書でいう弾性の方向とは、素材となる布地が主として弾性（伸縮性）を有する方向のことを意味するものであり、素材となる布地は、特に記載のない限り、弾性方向以外の方向にも伸縮性を有してもよい。
【００１８】
図１は本発明の実施例である骨盤矯正用ガードルの表面（衣服側）を示す。図１の左図は骨盤矯正用ガードル１の前面、中央図はサイド面、右図は背面をそれぞれ表している。骨盤矯正用ガードル１のガードル本体２は表地となる部分であり、全体が横方向に伸縮性のある布地によって形成されている。ガードル本体２は例えば、背面中心線から左右それぞれの前身頃に至る右サイド部材３、左サイド部材４と、ウエスト部から前面中央を経て股下に至るセンター部材５との３部材を結合したものとすることができるが、これ以外の構成としてもよく特に制限されない。
【００１９】
ガードル本体２の上縁に接続してウエスト部６が設けられており、骨盤矯正用ガードル１はいわゆるハイウエストガードルである。ウエスト部６は、ガードル本体２と接続する部分が最も細く、胴体の形状に沿うように上方に向けて広がる形状である。ウエスト部６は、ガードル本体２からウエスト部まで連続するセンター部材５と、その左右に接続される左右ウエスト部材との３部材からなる。ウエスト部６の幅は例えば２ｃｍ〜８ｃｍとすることができる。ウエスト部６は、例えば表地の裏面（肌側）に幅広ゴムを取り付けて構成することができる。ウエスト部６は全周にわたって均一な弾性を有する素材で構成してもよいし、弾性の異なる部材を組み合わせて用いてもよい。
【００２０】
ウエスト部６を上記の構成とすることによって、ウエストラインを強く締め付けることなく自然にフィット性良く着用することが可能となる。また、ウエスト部６を設けることによってズレやめくれが生じにくくなり、骨盤矯正効果と着用感の良さを両立できる。
【００２１】
図２は、図１の骨盤矯正用ガードル１の裏面（肌側）を示す。図１の左図は骨盤矯正用ガードル１の前面、中央図はサイド面、右図は背面をそれぞれ表している。ガードル本体２の前面の中央部には、略逆台形のフロントパネル７を有し、フロントパネル７は恥骨付近の位置で上下に区分され、上部フロントパネル８ａと下部フロントパネル８ｂとの二つのパーツが連結されている。下部フロントパネル８ｂの下にはクロッチ９が連結されている。下部フロントパネル８ｂと背面側のガードル本体２とが、クロッチ９を介して連結されている。上部フロントパネル８ａは主に縦向きに弾性を有しており、例えば、パワーネット、メッシュ等の弾性を有する素材を用いることができる。一方、下部フロントパネル８ｂは、横方向に伸縮性の無い布地から構成する。下部フロントパネル８ｂは例えば、横方向に伸縮性の無い、天竺、トリコット等の素材から構成することができる。
【００２２】
下部フロントパネル８ｂを横方向に伸縮性の無い素材とすることによって、フロントパネルの左右端に連結される補強弾性帯の引き締め効果が中心部分で逃げないようにするとともに、恥骨付近を押さえて矯正効果を発揮させることができる。また、恥骨付近で上部フロントパネル８ａと下部フロントパネル８ｂとを区画し、上部フロントパネル８ａを下部フロントパネル８ｂよりも伸縮性の高い素材で構成することによって、ファスナーやホックを設けることなく簡単に着用が可能で、かつ引き締め効果の高い骨盤矯正用ガードルを提供することが可能となる。
【００２３】
ガードル本体２の裏面に補強弾性帯が取り付けられている。第一の補強弾性帯１０は、左右の腰部から内転筋に沿って前面の股下に至るように設けられている。図２の例では、第一の補強弾性帯１０は、ガードル本体２の上端から脚部前面の下端近傍まで、内転筋と縫工筋を覆うように斜めに取り付けられている。第一の補強弾性帯１０の幅は１０〜２０ｃｍ程度とすることができる。第一の補強弾性帯１０は長手方向に伸縮性を有し、すなわち矢印ｄ１で示す方向に弾性を有する。このような素材としては、パワーネット、メッシュ等が使用できるが、これ以外の素材でもよく特に制限されない。第一の補強部材１０は、骨盤から股関節を通り、大腿内側の長内転筋を覆うことによって矯正を促す効果を有する。
【００２４】
第二の補強弾性帯１１は、フロントパネル７の左右端それぞれから、股関節を通り左右の腰下部を回り込んで、大殿筋を持ち上げるように背面中心線に至る部材である。第二の補強弾性帯１１の前面の端部は、フロントパネル７の上端から下部フロントパネル８ｂの半ばまで至る幅である。具体的には、第二の弾性補強帯１１の前面の端部の幅は１０〜２８ｃｍ程度とすることができる。第二の補強弾性帯１１は前面側の端部から斜め下方向に、幅狭になりながら背面中心線に至る。第二の補強弾性帯１１は長手方向に伸縮性を有し、すなわち矢印ｄ２で示す方向に弾性を有する。このような素材としては、パワーネット、メッシュ等が使用できるが、特に制限されない。第二の補強弾性帯１１の上辺は軽くＵカーブを描き、骨盤を締めるとともに臀部を持ち上げる効果を有する。
【００２５】
第三の補強弾性帯１２は、フロントパネル７の左右端それぞれから略横方向わずかに下向きに延在し、恥骨から大転子を通り左右の腰下部を回り込んで、臀部を略横向きに横切って背面中心線に至る部材である。第三の補強弾性帯１２の前面側の端部は、上部フロントパネル８ａ及び下部フロントパネル８ｂに約半分ずつ連結している。第三の補強弾性帯１２と下部フロントパネル８ｂとを少なくとも一部分連結することによって、骨盤を締めるとともに恥骨を押さえる効果が得られる。第三の補強弾性帯１２の幅は、前面から背面に向かって幅広になっていくよう構成することも好ましく、例えば１０ｃｍ〜２５ｃｍ程度とすることができる。第三の補強弾性帯１２は長手方向に伸縮性を有し、すなわち矢印ｄ３で示す方向に弾性を有する。第三の補強弾性帯１２は、他の補強弾性帯と同じ素材で形成することができる。
【００２６】
図２の例では、ガードル本体２に接する方から、第一の補強弾性帯１０、第二の補強弾性帯１１、第三の補強弾性帯１２の順に重ねて取り付けられているが、順番は特に制限されることなく任意に変更することができる。また第一、第二及び第三の補強弾性帯１０、１１、１２は股関節の位置で交差している。弾性方向が互いに異なる三つの補強弾性帯が股関節の位置で交差することによって、ベルト等のように厚みや硬さのある素材を使用することなく、優れた引締め効果を得ることができる。
【００２７】
背面の中心線沿いには、伸縮性のテープ部材１３が取り付けられている。テープ１３はクロッチ９の後端縁の中央から中心線に沿ってガードル本体２の上端、もしくはウエスト部６の上端に至る。テープ部材１３の幅は例えば５ｍｍ〜２ｃｍ程度とすることができ、図の例では幅１ｃｍの伸縮性テープ部材であるが、特に制限されない。伸縮性テープ部材１３を取り付けることで、骨盤矯正用ガードル１の身体へのフィット性や臀部の造形性がよりよくなり、着用感が向上する。
【００２８】
またガードル本体２の背面の中央上端部には略台形の背面補強パネル１４が備えられている。背面補強パネル１４は腰椎ないし仙椎を覆うように設けられ、着用者の腰をサポートする機能がある。背面補強パネル１４は横方向に弾性を有する素材からなる。背面補強パネル１４は、他の補強弾性帯よりも強力な弾性を有する素材を用いることが好ましく、具体的には例えば、テグス（ナイロンモノフィラメント）が織り込まれた伸縮性布地、例えばテグスコール、広幅ゴム、メッシュ等を用いることが好ましい。
【００２９】
さらに背面補強パネル１４の左右それぞれに三角形のサポート部材１５を有する。サポート部材１５の三角形の一辺は、背面補強パネル１４の台形の脚であり、他の一辺はガードル本体２の上端辺に縫着されている。一方、サポート部材１５の残る１辺（辺１５ａ）は、ガードル本体２に結合されておらず、ガードル本体２から離間している。サポート部材１５は、例えば、前述の補強弾性帯に使用する伸縮性布地を、ガードル本体２に縫着することによって形成することができる。背面補強パネル１４と連続してサポート部材１５を配置し、さらに辺１５ａをガードル本体から離間させておくことによって、背面補強パネル１４を支持するとともに、着用者が屈む動作をする際などに背面補強パネル１４が浮いて（身体から離れて）しまうことがなく、背面補強パネル１４のフィット性を高め、仙骨や腸骨へのサポートをより効果的に引き出すことができる。
【００３０】
図３は骨盤矯正用ガードル１の補強弾性帯の弾性方向を示す。図３の左図は骨盤矯正用ガードル１の前面、中央図はサイド面、右図は背面をそれぞれ表している。前述のとおり、第一の補強弾性帯１０、第二の補強弾性帯１１及び第三の補強弾性帯１２は互いに異なる弾性方向を有しており、股関節の位置で交差する。
【符号の説明】
【００３１】
１    骨盤矯正用ガードル
２    ガードル本体
３    右サイド部材
４    左サイド部材
５    センター部材
６    ウエスト部
７    フロントパネル
８ａ    上部フロントパネル
８ｂ    下部フロントパネル
９    クロッチ
１０  第一の補強弾性帯
１１  第二の補強弾性帯
１２  第三の補強弾性帯
１３  伸縮テープ部材
１４  背面補強パネル
１５  サポート部材
【図１】
0006581445.tif 000002
【図２】
0006581445.tif 000003
【図３】
0006581445.tif 000004